(57)【要約】【課題】従来のテープカッターは、単にテープをカットする機能しか有しないので、テープを引き出すのに連動して広告表示体を回転させてアッピールさせられる回転広告表示機能付きテープカッターを提供する。【解決手段】カッター本体２の後部に位置する溝穴４付きテープ保持板５の側部に設けた軸穴６付き保持突部７に、広告表示体１１を有する支柱９を回転自在に組み合わせた支柱９と、前記テープ保持板５の溝穴４にセットしたリール１６と一体とする基盤１８との間に、複数個のギア１３、１３ａ、１３ｂ、１３ｃの組み合わせによる回転連動手段を介在させた回転広告表示機能付きテープカッター１を構成する。【選択図】  図１
2004175564.tif 000002
【特許請求の範囲】
【請求項１】
カッター本体の前部にカッター刃を備え後部にテープ保持板を位置したテープカッターにおいて、前記テープ保持板に設けた軸穴付き保持突部に、上部に広告表示体を有する支柱を回転自在に組み合わせて成る前記テープ保持板の溝穴に、テープの直径より一回り大きい基盤付きリールをセットした基盤と前記支柱との間に、複数個のギヤで係合して成る回転連動手段を介在させて成る構成を特徴とする回転広告表示機能付きテープカッター。
【請求項２】
リールの基盤と支柱の間に介在させる回転連動手段が、リールの基盤を駆動用のギヤとし、そのギヤの下部に位置させた連動用のギアの軸棒と、保持突部の支柱端部がギアで係合して成る構成である請求項１に記載する回転広告表示機能付きテープカッター。
【請求項３】
リールの基盤と支柱の間に介在させる回転連動手段が、基盤を駆動用のギヤとし、テープ保持板の後部を延長した端部を上方に立設した保持枠の中ほどに位置した連動用のギアの軸棒と、前記保持枠に設けた保持突部に組み合わせた支柱端部がギアで係合して成る構成である請求項１に記載する回転広告表示機能付きテープカッター。
【請求項４】
リールの基盤と支柱の間に介在させる回転連動手段が、基盤の支柱側に設けた突起片と対向する支柱の突起片付き突起リングが係合して成る構成である請求項１に記載する回転広告表示機能付きテープカッター。
【請求項５】
基盤の支柱側に設けたギアと対向する支柱がギアで係合して成る請求項４に記載する回転広告表示機能付きテープカッター。
【請求項６】
カッター本体の前部にカッター刃を備え後部にテープ保持板を位置したテープカッターにおいて、前記テープ保持板の下部基板の端部に立設した保持枠の中ほどに位置した摩擦輪の軸棒と、前記保持枠側部に設けた保持突部の軸穴に組み合わせた支柱端部がギアで係合して成る回転連動手段を介在させた、前記保持枠とテープ保持板の間に引っ張りバネを取り付けて成る構成を特徴とする回転広告表示機能付きテープカッター。
【請求項７】
連動用のギアの軸棒と支柱端部が自在管で係合して成る請求項２、請求項３、請求項６に記載する回転広告表示機能付きテープカッター。
【発明の詳細な説明】
【０００１】
【発明の属する技術分野】
本発明は、一般的に使われる卓上型のテープカッターの一部に、小さな広告表示体を有する支柱を位置させるとともに、テープを引き出すたびに広告表示体が回転して効果的に表示が行える広告表示機能付きテープカッターに関する。
【０００２】
【従来の技術】
従来の卓上型テープカッターは、ある程度の重量のあるカッター本体の前部にカッター刃を備え、後部左右に溝穴付きテープ保持板を形成した前記溝穴に、テープを嵌め込んだ別体のリールをセットして使うタイプが一般的であり、企業や商店はもとより家庭においても広く使われている。またその外観形状はメーカーにより異なるが基本構成はいずれも同じである。
【０００３】
また、これらの一般的なテープカッターと異なるタイプとしては、テープのカッター刃部位に小さな紙片を多数枚重ねてセットできるテープカッターを形成し、テープを引き出してカットするたびに前記紙片がカットしたテープ端部に付着させて非着部を作ることにより、貼り付けた後テープを剥す際は、前記した紙片から剥し易いことを目的とするテープカッターの技術は数多く開示されている。
【０００４】
さらに、このテープ端部に紙片を付ける技術においては、広告宣伝機能を有する技術として、特開平１０−２９７５８号よる技術が開示されている。さらに具体的に述べると、カッター刃部位に形成した内部空間１にばね６と押上用板５を設け、その上部に広告を表示した小さな情報告知媒体兼剥離促進用紙片の束４を装填しておくことで、テープを引き出してカットするたびに、前記した情報告知媒体兼剥離促進用紙片３をテープ端部に接着して付着部を作るタプカッターの技術である。
【０００５】
【発明が解決しようとする課題】
以上のようなテープカッターやその技術が提供されており、いずれもテープを必要な長さ引き出してカットする機能がほとんどであり、一部に紙片を付着するものもあるが、実際面の使用において次に示すような不便や欠点がある。
まず、一般的に多用されているタイプのテープカッターにおいて、販売業務に関してはレジ回りに置かれているが、レジ回りは多くの人が必ず通る所にも関わらず従来のテープカッターは単にカットする機能しか有しない。
【０００６】
また開示される一部の技術には、カットしたテープ片に剥しやすい不着部を作るために紙片を付けるテープカッターも見られるが、この技術は数多くあるにも関わらず、小さな紙片をセットする面倒や使いにくさなどの理由により、具体的な商品として提供されないなどの欠点がある。
【０００７】
さらに特開平１０−２９７５８号に開示する技術は前記したテープに付着部を作るタイプと同じ構成であり、付着部を作る紙片に広告表示したものであるが、実際の使用に当たっては前記するのと同じように、紙片の束を補給したり取り替えたりしなければならないので大変面倒である。また紙片は小さいので表示された広告文字も小さくてきわめて読みにくい。加えて表示片は包装用に貼ったお客様にしか分からず、一度に多くの人に明確に知らしめることができないなどの欠点がある。
【０００８】
【課題を解決するための手段】
本発明は以上のような従来の技術がもつ不便や欠点を解消したテープカッターを提供するものであり、その構成として、テープカッターの一部に広告表示体を有する支柱を位置させるとともに、テープを引き出してカットするのに連動して前記した広告表示体を回転させることで、周囲の人に印象強く情報を知らしめることが可能な回転広告表示機能付きテープカッターを構成する。
【０００９】
【発明の実施の形態】
実施例１のテープカッター１は、カッッター本体２のテープ保持板５側部に、広告表示体１１付き支柱９を回転自在に位置させ、かつその支柱９を回転させる連動用のギア１３ａをリール１６の下部に設けたカッッター本体２に、駆動用のギア１３ｃを取り付けたリール１６をセットすることで、テープ１７を引き出すたびに広告表示体１１付き支柱９を回転させるられる構成とする。
【００１０】
実施例２は、前記実施例１と基本構成は同じとするが、支柱９上部に透明ケース２０を取り付け、その透明ケース２０に広告紙２１を入れる広告表示体１１を形成するとともに、連動用のギア１３ａと支柱９の係合部材をコイルバネによる自在管１９で連結したテープカッター１を構成する。
【００１１】
実施例３は、広告表示体１１付き支柱９及び連動用のギア１３ａを、セットするリール１６及びテープ１７に対向するカッター本体２の後部に位置させることで、実施例１タイプより低く安定したテープカッター１を構成する。
【００１２】
実施例４は、リール１６に取り付けられる基盤１８の駆動力を直接広告表示体１１付き支柱９に伝えるために、前記基盤１８の側面と対向する支柱９に互いに係合する突起片２４及び突起リング２５で回転させる方式とする。
【００１３】
実施例５は、前記各実施例と異なる駆動手段として、テープ保持板５の後部に支柱９を備えた保持枠２２の下部を軸止して傾斜自在とする前記保持枠２２に、テープ１７面に摩擦輪２９を圧接させることで回転する方式とするが、以下、各実施例を具体的に詳述する。
【００１４】
【実施例】
実施例１
実施例１のテープカッターを図１に示す一部分解斜視図と図２に示す一部省略した後部の側面図、図３に示すリールの斜視図を参照して説明する。
本発明によるテープカッター１は、カッター本体２の前部にカッター刃３を備え、後部の両サイドに溝穴４付きテープ保持板５を有するテープカッター１において、前記テープ保持板５の溝穴４寄り外側に、一定の長さの軸穴６付き保持突部７を垂直に設けた軸穴６に、上部に保持具８を付けた長さ３０〜４０ｃｍ程度の支柱９を回転自在に組み合わせた支柱９の保持具８に、広告１０を表示した縦横１０ｃｍ以上の広告表示体１１を取り付けた支柱９下部にフェース型のギア１３を取り付ける。
【００１５】
さらにカッター本体２のテープ保持板５間の下部に空間部１２を形成し、その空間部１２に太さが２ｃｍ全後で、長さが左右のテープ保持板５間と同じ長さの連動用のギア１３ａを位置させたの軸棒１４を支柱９下部まで延長した軸端部に、前記した支柱９のギア１３と係合するギア１３ｂを取り付けたカッター本体２を形成する。
【００１６】
以上のように形成したカッター本体２のテープ保持板５の溝穴４には、別体に形成される軸１５付きリール１６がセットされるが、そのリール１６の一方側面には、組み合わせるテープ１７より一回り大きい基盤１８周囲に刃を付けた駆動用のギア１３ｃを一体に取り付けたリール１６とし、そのリール１６を前記テープ保持板５の溝穴４にセットして実施例１のテープカッター１を構成する。
【００１７】
実施例１は以上のような構成であるので、セットしたテープ１７を引き出すたびに、駆動用のギア１３ｃ、連動用のギア１３ａ、軸棒のギア１３ｂ、支柱９のギア１３が係合する回転連動手段を介在させることにより、前記する広告表示体１１を備えた支柱９を回転させられ、かつ広告表示体１１は保持具８から取り外して差し替えられる構成である。
【００１８】
実際例２
実際例２のテープカッターを図４に示す一部省略した後部の側面図と図５に示す一部省略した広告表示体の斜視図を参照して説明する。
実施例２の基本構成は前記実施例１と同じであるが、一部異なる形態を成すものである。まずカッター本体２後部の溝穴４にセットしたリール１６に取り付けられた基盤１８は実施例１と同様の駆動用のギヤ１３ｃを有するものとし、そのギヤ１３ｃが係合する連動用のギヤ１３ａも同じタイプであるが、前記連動用のギヤ１３ａの軸棒１４と保持突部７に組み合わせた支柱９との係合部材として、コイルバネによる自在管１９で連結した回転連動手段を用いている。さらに支柱９上端部に設けられる広告表示体１１は、上部が開口した透明ケース２０とし、その中に目的とする広告１０を表示した広告紙２１を入れて実施例２のテープカッター１を構成する。
【００１９】
実施例２は実施例１と基本構成は同じであるが、連動用のギア１３ａの軸棒１４と、支柱９とをコイルバネによる自在管１９で連結しているので、ギヤと同じ作用により回転する。加えて支柱９の広告表示体１１は透明ケース２０として広告紙２１を差し替えられるタイプである。
【００２０】
実施例３
実際例３のテープカッターを図６に示す一部欠損斜視図を参照して説明する。本実施例は連動用のギヤ１３ａと保持突部７及び支柱９をカッター本体２の後部側に位置したものである。
まず、カッター本体２におけるテープ保持板５の溝穴６に、基盤１８を駆動用のギア１３ｃとするリール１６をセットしたものにおいて、前記テープ保持板５の後部を少し延長した端部を、適度な幅で上方に突出して成る保持枠２２を形成した側部に、軸穴６付き保持突部７に支柱９を組み合わせて成る前記保持枠２２の中ほどに、駆動用のギア１３ｃが係合する連動用のギア１３ａを位置した軸棒１４と支柱９とをゴムチューブ等による自在管１９で連結して成る回転連動手段を介在させて実施例３のテープカッター１を構成する。
【００２１】
実施例３は、連動用のギア１３ａ及び広告表示体１１付き支柱９いずれもカッター本体２の後部に位置させているので、カッター本体２を低く形成することができるので、重心が低い安定したテープカッター１を構成する。
【００２２】
実施例４
実際例４のテープカッターを図７に示す後部の側面図を参照して説明する。
本実施例はリール１６の基盤１８から直接支柱９に回転力を伝えるタイプである。まずカッター本体２のテープ保持板５にセットするリール１６に取り付けられる基盤１８は単なる円盤とする支柱９側の面に、オス面ファスナーのような小さな突起片２３数多く形成し、他方、テープ保持板５の保持突部７の支柱９上下に係止具２４付けた支柱９の前記基盤１８面に対向する部位に、基盤１８と同じ形の突起片２３を周囲に設けた突起リング２５を取り付けて実施例４のテープカッターを構成する。
【００２３】
実施例４の回転連動手段は、基盤１８の側面に突起片２３を設け、その対向部位の支柱９には同じ突起片２３を有する突起リング２５を取り付けているので、構成は前記実施例１〜３タイプ方式よりシンプルな直接連動方式である。尚、この実施例４もギヤの組み合わせによる連動方式を採用してもよい。
【００２４】
実施例５
実施例５のテープカッターを図８に示す斜視図を参照して説明する。
本実施例における支柱９の回転連動手段は、前記各実施例と異なるタイプとする。まずカッター本体２のテープ保持板５にセットするリール１６は、従来のテープカッターに用いられるリールと同じ形とし、そのリール１６が組み合わされる、前記テープ保持板５下部の基板２６を少し延長した端部に支持板２７を設け、その支持板２７に軸ピン２８をもって傾斜自在とする保持枠２２を立設した中ほどに、ゴム素材によるドラム状の摩擦輪２９の軸棒１４と、前記保持枠２２の側部に設けた保持突部７の軸穴６に組み合わせた支柱９端部を、チューブ等による自在管１９で連結して成る保持枠２２とテープ保持板５の間に引っ張りバネ３０を取り付けて実施例５のテープカッター１を構成する。
【００２５】
実施例５におけるテープカッター１の回転連動手段は、リール１６に組み合わせたテープ１７の後部に位置した支柱９及び摩擦輪２９を有する傾斜自在の保持枠２２を可動軸止するとともに引っ張りバネ３０を介在しているので、摩擦輪２９はテープ１７に常時圧接する構成であるので、テープ１７を引き出すたびに、摩擦輪２９と自在管１９が係合しながら支柱９を回転させられる。尚、本実施例における摩擦輪２９の軸棒１４と支柱９の係合部材はチューブ等による自在管１９で連結しているが、ギア１３、１３ｂで係合する方式でも構わない。
【００２６】
本発明によるテープカッター１は以上のような構成であるが、実施例１〜３においては駆動用のギア１３ｃと連動用のギア１３ａを係合部材とするが、実施例４に示すような突起リング２５による係合手段を用いてもよい。さらに図示する支柱９は単なる棒体であるが、伸縮やネジ取り外し方式であっても差し支えないものであり、いすれも特に限定するものではない。
【００２７】
【発明の効果】
本発明によるテープカッターは以上のような構成としているので、次に示すような特徴や効果を提供する。
テープカッター本体は従来と基本的には変わらないが、テープ保持板の後部側に、一定の高さの支柱に広告表示体を設けた支柱とリールの基盤に回転連動手段を介在させることで、テープを引き出すたびに前記した広告表示体を回転させることができる構成であるため、単にテープをカットするだけでない広告宣伝機能を有するテープカッターである。
【００２８】
したがって販売業務におけるレジ回りなどにあっては数多くのお客様が立ち止まりながら必ず通る場所でもあるので、次の安売り日やお買い得商品案内など自社の宣伝はもとより、他社の宣伝媒体として貸し看板的な使い方などもできるうえ、さらに一歩進めて企業の宣伝表示したテープカッターを無料で貸与してレジ回りに置いて頂くことも可能であり、レジ回りに置く備品として最適なテープカッターである。他方、家庭などの場合はペットや子供の写真、きれいな草花の写真など入れると楽しく使える。
【００２９】
加えて、広告表示体は適度な大きさであるので広告表示も分かり易く、かつ回転するのでアッピール度は高められることはもとより、回転駆動源はリールに組み合わせたテープの引き出しに連動よる手動方式であるため、バッテリーなども必要としないのでソケットの無い場所などでも使えるなど、従来には見られない機能的かつ効果的な回転広告表示機能を有するテープカッターを提供する。
【図面の簡単な説明】
【図１】実施例１のテープカッターを示す分解斜視図である。
【図２】実施例１のテープカッターの後部を示す側面図である。
【図３】実施例１のリールを示す斜視図である。
【図４】実施例２のテープカッターの後部を示す側面図である。
【図５】実施例２の広告表示体を示す斜視図である。
【図６】実施例３のテープカッターを示す一部欠損した斜視図である。
【図７】実施例４のテープカッターの後部を示す側面図である。
【図８】実施例５のテープカッターを示す斜視図である。
【符号の説明】
１・・テープカッター、２・・カッター本体、３・・カッター刃、４・・溝穴、５・・テープ保持板、６・・軸穴、７・・保持突部、８・・保持具、９・・支柱、１０・・広告、１１・・広告表示体、１２・・空間部、１３，１３ａ，１３ｂ，１３ｃ・・ギア、１４・・軸棒、１５・・軸、１６・・リール、１７・・テープ、１８・・基盤、１９・・自在管、２０・・透明ケース、２１・・広告紙、２２・・保持枠、２３・・突起片、２４・・係止具、２５・・突起リング、２６・・基板、２７・・支持板、２８・・軸ピン、２９・・摩擦輪、３０・・引っ張りバネ
【図１】
2004175564.tif 000003
【図２】
2004175564.tif 000004
【図３】
2004175564.tif 000005
【図４】
2004175564.tif 000006
【図５】
2004175564.tif 000007
【図６】
2004175564.tif 000008
【図７】
2004175564.tif 000009
【図８】
2004175564.tif 000010